(57)【要約】【課題】  より少ないコストで製造することができるダニ捕獲器を提供する。【解決手段】  本発明のダニ捕獲器は、第１の多孔質層と、第２の多孔質層と、第１の多孔質層と第２の多孔質層との間に挟まれた粘着誘引層とを有し、粘着誘引層は、ダニを誘引する誘引剤とダニを捕獲する粘着剤とを含有する粘着誘引剤で形成されており、第１の多孔質層で第２の多孔質層と対向する面及び又は第２の多孔質層で第１の多孔質層と対向する面に、所定の画像で形成されていることを特徴とする。【選択図】      図１
2014168443.tif 000002
【特許請求の範囲】
【請求項１】
第１の多孔質層と、第２の多孔質層と、上記第１の多孔質層と上記第２の多孔質層との間に挟まれた粘着誘引層とを有し、
上記粘着誘引層は、ダニを誘引する誘引剤とダニを捕獲する粘着剤とを含有する粘着誘引剤で形成されており、上記第１の多孔質層で上記第２の多孔質層と対向する面及び又は上記第２の多孔質層で上記第１の多孔質層と対向する面に、所定の画像で形成されている
ことを特徴とするダニ捕獲器。
【請求項２】
上記粘着誘引層に用いられる上記粘着誘引剤は、着色されていることを特徴とする請求項１に記載のダニ捕獲器。
【請求項３】
上記粘着誘引層は、上記第１の多孔質層で上記第２の多孔質層と対向する面及び又は上記第２の多孔質層で上記第１の多孔質層と対向する面に対して、上記粘着誘引剤を現像剤とした画像の印刷により形成されていることを特徴とする請求項２に記載のダニ捕獲器。
【請求項４】
上記粘着誘引層により形成された画像は、上記第１の多孔質層で上記第２の多孔質層と対向しない面及び又は上記第２の多孔質層で上記第１の多孔質層と対向しない面から透けて見える構成となっていることを特徴とする請求項３に記載のダニ捕獲器。
【発明の詳細な説明】
【技術分野】
【０００１】
本発明は、ダニ捕獲器に関し、例えば、寝具類や衣料収納庫で発生するダニを捕獲するダニ捕獲シートに適用し得る。
【背景技術】
【０００２】
近年、住宅構造の変化等にともなって、住宅内で発生するダニが増加しており、ダニによって引き起こされる様々な人体への健康被害が社会問題となっている。ダニによって引き起こされる人体への健康被害とは、ダニに刺されることによる感染症だけでなく、「ダニの死骸」等により発症するアレルギー性疾患等がある。
【０００３】
そのため、単にダニを駆除（例えば、ダニの殺傷や忌避）するだけでなく、死骸も残さずに駆除することができるダニ捕獲器の必要性が高まっている。
【０００４】
従来のダニ捕獲器としては、例えば、特許文献１に記載されているダニ捕獲マットがある。
【０００５】
特許文献１に記載されたダニ捕獲マットは、両面粘着テープと、ダニ誘引香料を含浸した織物シートとが、多孔質通気性カバーで覆われており、ダニ誘引香料で誘引したダニを、粘着テープに粘着させることにより捕獲するものである。
【先行技術文献】
【特許文献】
【０００６】
【特許文献１】特開２００６−３４０６０６号公報
【発明の概要】
【発明が解決しようとする課題】
【０００７】
ところで、特許文献１のダニ捕獲マットのようにシート状のダニ捕獲器の利用者は、自宅内のベッドやソファ等複数個所に配置することを望む場合が多い。また、従来のシート状のダニ捕獲器は、ソファやベッド等、利用者に直接触れることがあるため、コストによっては定期的に交換することを望む利用者が多い。
【０００８】
そのため、より少ないコストで製造することができるダニ捕獲器が望まれている。
【課題を解決するための手段】
【０００９】
本発明のダニ捕獲器は、（１）第１の多孔質層と、第２の多孔質層と、上記第１の多孔質層と上記第２の多孔質層との間に挟まれた粘着誘引層とを有し、（２）上記粘着誘引層は、ダニを誘引する誘引剤とダニを捕獲する粘着剤とを含有する粘着誘引剤で形成されており、上記第１の多孔質層で上記第２の多孔質層と対向する面及び又は上記第２の多孔質層で上記第１の多孔質層と対向する面に、所定の画像で形成されていることを特徴とする。
【発明の効果】
【００１０】
本発明によれば、より少ないコストで、ダニ捕獲器を製造することができる。
【図面の簡単な説明】
【００１１】
【図１】第１の実施形態に係るダニ捕獲器の外観斜視図である。
【図２】第１の実施形態に係るダニ捕獲器の平面図である。
【図３】第１の実施形態に係る第１の多孔質シート（第２の多孔質シートと縫着する前の状態）の平面図である。
【図４】第１の実施形態に係る第２の多孔質シート（第１の多孔質シートと縫着する前の状態）の平面図である。
【図５】第１の実施形態に係るダニ捕獲器１の断面図（図２のＶ−Ｖ線断面図）である。
【図６】第２の実施形態に係る第２の多孔質シート（第１の多孔質シートと縫着する前の状態）の平面図（その１）である。
【図７】第２の実施形態に係る第２の多孔質シート（第１の多孔質シートと縫着する前の状態）の平面図（その２）である。
【発明を実施するための形態】
【００１２】
（Ａ）第１の実施形態
以下、本発明によるダニ捕獲器の第１の実施形態を、図面を参照しながら詳述する。
【００１３】
（Ａ−１）第１の実施形態の構成
図１は、第１の実施形態のダニ捕獲器１の外観の斜視図である。また、図２は、ダニ捕獲器１の平面図である。
【００１４】
図１、２に示すように、第１の実施形態のダニ捕獲器１は、楕円のシート形状となっている。ダニ捕獲器１は、例えば、布団、毛布、マットレス、ソファ、絨毯、クッション等、ダニが棲息・繁殖し易い場所に配置されると、周辺のダニを誘引して捕獲する。また、ダニ捕獲器１が捕獲する対象とするダニは、例えば、チリダニ、コナダニ、コナヒョウダニ、ササラダニ、ツメダニ、ホコリダニ、ニクダニ、イエダニ等、一般家庭で検出される種々のダニが挙げられる。
【００１５】
次に、ダニ捕獲器１の詳細構成について説明する。
【００１６】
ダニ捕獲器１は、第１の多孔質シート２と第２の多孔質シート３とを有している。
【００１７】
第１の多孔質シート２及び第２の多孔質シート３は、多孔質で通気性のある素材で形成されている。第１の多孔質シート２及び第２の多孔質シート３の素材としては、ダニの侵入が可能な多孔質性の素材であれば良く、例えば、綿のパイル生地、不織布等を適用することができる。
【００１８】
また、第１の実施形態では、第１の多孔質シート２及び第２の多孔質シート３は、同一の楕円形のパイル生地により形成されているものとする。なお、第１の多孔質シート２及び第２の多孔質シート３を構成する生地の形状は、矩形、三角形、円形等の他の形状としてもよい。
【００１９】
そして、ダニ捕獲器１は、第１の多孔質シート２と第２の多孔質シート３とを重ね合わせて、その周縁部１ａを縫着（例えば、ロックミシン等により縫着）することにより構成されている。なお、第１の多孔質シート２と第２の多孔質シート３との間を固着する方式については限定されないものであり、例えば、接着剤で接着する等種々の固着方式を適用することができる。
【００２０】
次に、第１の多孔質シート２及び第２の多孔質シート３の構造の詳細について説明する。
【００２１】
図３は、第１の多孔質シート２（第２の多孔質シート３と縫着する前の状態）の平面図である。また、図４は、第２の多孔質シート３（第１の多孔質シート２と縫着する前の状態）の平面図である。さらに、図５は、ダニ捕獲器１の断面図（図２のＶ−Ｖ線断面図）である。
【００２２】
図３、図５では、第１の多孔質シート２において、第２の多孔質シート３と対向しない面を「面２ａ」、第２の多孔質シート３と対向する面を「面２ｂ」と図示している。したがって、図３は、第１の多孔質シート２を面２ａの側から見た状態の図となっている。なお、第１の多孔質シート２において、面２ｂを示す図は、面２ａと同様図（上述の図３）で示すことができるため、図示を省略する。
【００２３】
図４、図５では、第２の多孔質シート３において、第１の多孔質シート２と対向する面を「面３ａ」、第１の多孔質シート２と対向しない面を「面３ｂ」と図示している。したがって、図４は、第２の多孔質シート３を面３ａの側から見た状態の図となっている。なお、第２の多孔質シート３において、面３ｂを示す図は、第１の多孔質シート２の面２ａと同様の図（上述の図３）で示すことができるため、図示を省略する。
【００２４】
そして、図４に示すように、第２の多孔質シート３の面３ａ（第１の多孔質シート２と対向する面）を構成する一部の領域３ｃ（図４の例では、四角形の領域）には、ダニを絡め取って捕獲するための粘着剤と、ダニを誘引するための誘引剤とを含有する粘着誘引剤により、粘着誘引剤層４が形成されている。粘着誘引剤層４が形成される領域３ｃの形状については限定されないものであり、丸型や三角型等の他の形状としてもよい。また、第２の多孔質シート３の面３ａにおいて、全面（全ての領域）に粘着誘引剤層４を形成するようにしてもよい。
【００２５】
図５に示すように、ダニ捕獲器１において、粘着誘引剤層４は、第１の多孔質シート２の層と第２の多孔質シート３の層の間（面２ｂと面３ａとの間）に挟まれた状態となる。すなわち、ダニ捕獲器１は、ダニが棲息・繁殖し易い場所に配置されると、粘着誘引剤層４に含有される誘引剤による誘引作用でダニを集め、第１の多孔質シート２又は第２の多孔質シート３から侵入してきたダニを、粘着誘引剤層４の粘着力で絡め取って捕獲することができる。
【００２６】
粘着誘引剤層４を構成する粘着誘引剤において、誘引剤としては、ダニが好む香りを発するものであり、かつ、人体への影響の少ない材料であることが望ましい。具体的には、例えば、ゲラニル、ノナナール、バニラフレーバー、ココナッツミルクフレーバー、ビール酵母等を含有する香料を誘引剤として用いることが望ましい。
【００２７】
また、粘着誘引剤層４を構成する粘着誘引剤において、粘着剤としては、ダニを捕獲することが可能な粘着力を備え、かつ、人体への影響の少ない材料であることが望ましい。具体的には、例えば、アクリル共重合樹脂等を粘着剤として用いることが望ましい。
【００２８】
第２の多孔質シート３の表面上の領域３ｃ内に、粘着誘引剤層４を形成する方式については限定されないものであるが、例えば、シルク印刷等の印刷技術を用いて、領域３ｃに粘着誘引剤を用いた所定の画像（例えば、図４に示すように四角形の領域内をベタ塗りした画像）を形成するようにしてもよい。
【００２９】
（Ａ−２）第１の実施形態の効果
第１実施形態によれば、以下のような効果を奏することができる。
【００３０】
第１の実施形態のダニ捕獲器１では、第２の多孔質シート３の表面に、粘着誘引剤層４を形成している。言い換えると、ダニ捕獲器１では、第２の多孔質シート３自体が、ダニを誘引する機能と、ダニを絡め取って捕獲する機能を備えている。すなわち、ダニ捕獲器１では、特許文献１のダニ捕獲マットのように、粘着テープやダニ誘引香料を含浸した織物シートを別途設ける必要がないため、従来よりも部品点数を減らすことができる。したがって、ダニ捕獲器１では、材料コストの低減や製造工程の簡素化により、従来よりも低コストで製造することができる。
【００３１】
特に、特許文献１のダニ捕獲マットのように、粘着テープやダニ誘引香料を含浸した織物シートを設置する工程は、機械化や自動化が難しく、製造コストの低減が難しかった。これに対して、第１の実施形態のダニ捕獲器１は、多孔質シートの表面に、シルク印刷等の印刷装置で、粘着誘引剤の画像を印刷することにより粘着誘引剤層を形成し、２つの多孔質シートを縫着するだけで良いので、各工程の機械化（例えば、手動のシルク印刷装置の利用等）等が容易となる。また、シルク印刷用のポジ（型）は１つで１０万枚程度のダニ捕獲器１が製造可能であるため、大量生産に好適である。また、シルク印刷装置は、同時に複数枚の印刷も可能であるため、ダニ捕獲器１を短時間に大量生産することも容易である。
【００３２】
（Ｂ）第２の実施形態
以下、本発明によるダニ捕獲器の第２の実施形態について、第１の実施形態と異なる構成についてのみ説明する。
【００３３】
（Ｂ−１）第２の実施形態の構成
図６は、第２の実施形態を構成する第２の多孔質シート３の面３ａ（粘着誘引剤層４が形成されている面）について示している。
【００３４】
第１の実施形態では、領域３ｃ内の全面に粘着誘引剤層４が形成されているが、第２の実施形態では、図６に示すように、領域３ｃ内で所定のパターン（図６では、格子状のパターン）の画像で粘着誘引剤層４が形成されている。
【００３５】
また、第２の実施形態では、図６に示すように、粘着誘引剤層４に用いる粘着誘引剤が着色（図６では黒色）されている点で、第１の実施形態と異なっている。言い換えると、第２の実施形態の粘着誘引剤層４に用いられる粘着誘引剤には着色剤が含有されている。
【００３６】
粘着誘引剤の着色に用いる着色剤の種類や着色する色については限定されないものであるが、人体への影響の少ない材料であることが望ましい。粘着誘引剤の着色に用いる着色剤としては、例えば、食品の着色に用いられる種々の着色料（食品添加物）を用いることが望ましい。
【００３７】
例えば、粘着誘引剤層４を黒色に着色したい場合には、着色剤としてカラメルを用いることができる。また、その他にも粘着誘引剤層４の着色剤としては、カロチノイド色素（黄色、赤色、及び紫色の着色剤）、クチナシ色素（青色、赤色、及び黄色の着色剤）、及びコチニール色素（橙色、及び赤紫色の着色剤）等を用いることができる。
【００３８】
粘着誘引剤層４により形成される画像のパターンは限定されないものであり、例えば、「迷路の画像」や「文字列の画像」等を含むようにしてもよい。図７の例では、粘着誘引剤層４により形成される画像が、企業名を示す文字列の画像「ＸＸＸＸ株式会社」となっている。
【００３９】
第２の多孔質シート３の表面に、粘着誘引剤の画像（粘着誘引剤層４）を形成する方法については限定されないものであるが、例えば、着色された粘着誘引剤を現像剤として、シルク印刷等により画像形成するようにしてもよい。この場合、第２の多孔質シート３の表面に形成したい画像のポジ（シルク印刷用の型）を用いて、粘着誘引剤を現像剤とした画像（粘着誘引剤層４）を、第２の多孔質シート３の表面に形成（転写）するようにしてもよい。
【００４０】
なお、粘着誘引剤層４の画像は複数の着色剤を用いた画像（複数色を用いた画像）としてもよい。例えば、第２の多孔質シート３の表面に、複数色の現像剤（異なる色の着色剤で着色された複数種類の粘着誘引剤）を用いて、シルク印刷（各色ごとに１回ずつの印刷工程による印刷）を行うようにしてもよい。
【００４１】
さらに、第２の実施形態のダニ捕獲器１では、第１の多孔質シート２（面２ａ）及び第２の多孔質シート３（面３ｂ）の側から見て、粘着誘引剤層４により形成される画像が透けて利用者が視認することが可能な構成となっていることが望ましい。具体的には、例えば、粘着誘引剤層４に用いる粘着誘引層を濃度の高い色（例えば、黒色や茶色等）に着色したり、第１の多孔質シート２及び第２の多孔質シート３に濃度の低い色（例えば、薄いベージュ色や白色等）の生地を用いることが望ましい。
【００４２】
（Ｂ−２）第２の実施形態の効果
第２の実施形態のダニ捕獲器１では、粘着誘引剤層４が黒色に着色されている。これにより、第２の実施形態のダニ捕獲器１では、利用者にダニが捕獲可能な位置（粘着誘引剤層４の位置）を視認（例えば、多孔質シートを透かして視認）させることにより、ダニ捕獲機能を視覚的に認識させ、利用者に安心感を与えたり購買意欲を促進させること等が期待できる。
【００４３】
また、第２の実施形態のダニ捕獲器１では、粘着誘引剤層４により画像が形成されている。これにより、ダニ捕獲器１では、単にダニを捕獲するという機能だけでなく、デザイン性を持たせることができる。特に、ダニ捕獲器１は、ベッドやソファ等利用者の生活の場に配置されることになるため、より少ないコストで、デザイン性を重視する利用者に選ばれやすくなるデザイン性を持たせることは、ダニ捕獲器１を販売する上で有用な構成となる。また、第２の実施形態のダニ捕獲器１において、粘着誘引剤層４の画像として企業の広告の画像（例えば、上述の図７に示すような画像）を適用することもできるため、企業のノベルティグッズとしての利用等も容易となる。通常、企業のノベルティグッズ等は、既にある製品について企業名の画像の印刷を加える等の工程が必要となるが、第２の実施形態のダニ捕獲器１では、ダニ捕獲という本来機能に必要な粘着誘引剤層４の画像のデザイン（シルク印刷用の型）を入れ替えるだけで良いため、新たな工程を追加せずにノベルティグッズ等の製造が可能となる。
【００４４】
さらに、第２の実施形態のダニ捕獲器１では、第１の実施形態のように粘着誘引剤層４を領域３ｃにベタ塗りせずに、図６に示すようなパターンの画像としている。これにより、第２の実施形態のダニ捕獲器１では、ダニを誘引して捕獲することが可能な粘着誘引剤層４全体の領域３ｃの面積を変えずに、使用する粘着誘引剤の量の低減（すなわち、材料コストの低減）を実現することができる。
【００４５】
（Ｃ）他の実施形態
本発明は、上記の実施形態に限定されるものではなく、以下に例示するような変形実施形態も挙げることができる。
【００４６】
（Ｃ−１）上記の各実施形態のダニ捕獲器１は、図４に示すように多孔質シートの層の間に粘着誘引剤層４が挟まれる構造となっていれば、多孔質シートの具体的な構成については限定されないものである。例えば、上記の各実施形態のダニ捕獲器１は、第１の多孔質シート２と第２の多孔質シート３を用いて実現しているが、１枚の多孔質シートを折り曲げて、多孔質シート（多孔質層）の間に粘着誘引剤層が挟まれる構造を実現するようにしてもよい。また、例えば、無端形状（環状）の多孔質シートの内側に粘着誘引剤層を形成して同様に多孔質シート（多孔質層）の間に粘着誘引剤層が挟まれる構造を実現するようにしてもよい。
【００４７】
（Ｃ−２）上記の実施形態では、説明を簡易とするために、第２の多孔質シート３にだけ粘着誘引剤層４が形成されている構成について説明したが、第１の多孔質シート２にも粘着誘引剤層を形成するようにしてもよいことは当然である。
【符号の説明】
【００４８】
１…ダニ捕獲器、２…第１の多孔質シート、２ａ…面、２ｂ…面、３…第２の多孔質シート、３ａ…面、３ｂ…面、３ｃ…領域、４…粘着誘引剤層、１ａ…周縁部。
【図１】
2014168443.tif 000003
【図２】
2014168443.tif 000004
【図３】
2014168443.tif 000005
【図４】
2014168443.tif 000006
【図５】
2014168443.tif 000007
【図６】
2014168443.tif 000008
【図７】
2014168443.tif 000009